(57)【要約】【課題】凸形状である単位光学形状が荷重等で変形、欠損することや、この光学シートに重ねられる他のシート等に傷が付くことを防止でき、良好な視野角特性を有する光学シート、及び、これを備える面光源装置、透過型表示装置を提供する。【解決手段】光制御シート１５の少なくとも単位光学形状（１５１）を形成する材料のヤング率を５００ＭＰａ以上とし、単位光学形状（１５１）の稜線を形成する部分を曲面に（１５１Ｔ）よって形成することにより実現した。【選択図】図３
2008282736.tif 000002
【特許請求の範囲】
【請求項１】
凸形状である単位光学形状が一次元方向に複数配列された光学形状部を備え、
少なくとも前記光学形状部を形成する材料のヤング率が５００ＭＰａ以上であること、
を特徴とする光学シート。
【請求項２】
請求項１に記載の光学シートにおいて、
前記単位光学形状は、出射側に形成され、シート面の法線方向に平行であって配列された方向に平行な面での断面形状が、頂点を挟んで非対称な形状であること、
を特徴とする光学シート。
【請求項３】
請求項２に記載の光学シートにおいて、
前記単位光学形状は、前記頂点を挟んで、平面により形成された平面部と、曲面によって形成された曲面部とを有すること、
を特徴とする光学シート。
【請求項４】
請求項１から請求項３までのいずれか１項に記載の光学シートにおいて、
前記単位光学形状は、前記凸形状の稜線部分が曲面によって形成された稜線曲面部を有すること、
を特徴とする光学シート。
【請求項５】
請求項４に記載の光学シートにおいて、
前記稜線曲面部の曲率半径は、３０μｍ以上であること、
を特徴とする光学シート。
【請求項６】
請求項４又は請求項５に記載の光学シートにおいて、
前記単位光学形状が配列された方向における前記稜線曲面部の幅は、１５μｍ以上であること、
を特徴とする光学シート。
【請求項７】
請求項６に記載の光学シートにおいて、
前記稜線曲面部の前記幅は、前記単位光学形状が配列されるピッチの１５％以上５０％以下であること、
を特徴とする光学シート。
【請求項８】
請求項１から請求項７までのいずれか１項に記載の光学シートにおいて、
前記単位光学形状が配列されるピッチは、８０μｍ以上であること、
を特徴とする光学シート。
【請求項９】
請求項１から請求項８までのいずれか１項に記載の光学シートにおいて、
熱可塑性樹脂を用いて形成されていること、
を特徴とする光学シート。
【請求項１０】
請求項１から請求項９までのいずれか１項に記載の光学シートと、
光を発する光源部と、
を備える面光源装置。
【請求項１１】
透過型表示部と、
前記透過型表示部を背面側から照射する請求項１０に記載の面光源装置と、
を備える透過型表示装置。
【発明の詳細な説明】
【技術分野】
【０００１】
本発明は、凸形状である単位光学形状が一次元方向に複数配列された光学形状部を備える光学シート、面光源装置、透過型表示装置に関するものである。
【背景技術】
【０００２】
従来、透過型の液晶ディスプレイ等を背面から照明する面光源として、各種方式の面光源装置（バックライト装置）が提案され、実用化されている。このような面光源装置では、光源である冷陰極管と液晶パネルとの間に、冷陰極管から発せられた光を拡散、収束する効果を有する各種の光学シートを複数枚組み合わせ、重ねて用いられている。
例えば、特許文献１では、バックライト装置の発光面の輝度均斉度を向上させるために、出光面側に断面鋸歯状のプリズム条列を形成した光拡散板が開示されている。
【０００３】
このようなプリズム条列等の凸形状の単位光学形状が複数配列された光学形状部を有する光学シートでは、この光学形状部側に他の光学シートや液晶パネル等を重ねて配置した場合に、それらの荷重によって単位光学形状の凸形状の頂点部分が欠損、変形する場合や、光学形状部側に重ねられた他のシート等に傷が付く場合があるという問題があった。
【特許文献１】特開２００６−２４４８６８号公報
【発明の開示】
【発明が解決しようとする課題】
【０００４】
本発明の課題は、凸形状である単位光学形状が荷重等で変形、欠損することや、単位光学形状側に重ねられる他のシート等に傷が付くことを防止でき、良好な視野角特性を有する光学シート、及び、これを備えた面光源装置、透過型表示装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、凸形状である単位光学形状（１５１）が一次元方向に複数配列された光学形状部を備え、少なくとも前記光学形状部を形成する材料のヤング率が５００ＭＰａ以上であること、を特徴とする光学シート（１５）である。
請求項２の発明は、請求項１に記載の光学シートにおいて、前記単位光学形状（１５１）は、出射側に形成され、シート面の法線方向に平行であって配列された方向に平行な面での断面形状が、頂点（Ｔ）を挟んで非対称な形状であること、を特徴とする光学シート（１５）である。
請求項３の発明は、請求項２に記載の光学シートにおいて、前記単位光学形状（１５１）は、前記頂点（Ｔ）を挟んで、平面により形成された平面部（１５１Ｄ）と、曲面によって形成された曲面部（１５１Ｕ）とを有すること、を特徴とする光学シート（１５）である。
請求項４の発明は、請求項１から請求項３までのいずれか１項に記載の光学シートにおいて、前記単位光学形状（１５１）は、前記凸形状の稜線部分が曲面によって形成された稜線曲面部（１５１Ｔ）を有すること、を特徴とする光学シート（１５）である。
請求項５の発明は、請求項４に記載の光学シートにおいて、前記稜線曲面部（１５１Ｔ）の曲率半径（Ｒ２）は、３０μｍ以上であること、を特徴とする光学シート（１５）である。
請求項６の発明は、請求項４又は請求項５に記載の光学シートにおいて、前記単位光学形状（１５１）が配列された方向における前記稜線曲面部（１５１Ｔ）の幅（Ｐ２）は、
１５μｍ以上であること、を特徴とする光学シート（１５）である。
請求項７の発明は、請求項６に記載の光学シートにおいて、前記稜線曲面部（１５１Ｔ）の前記幅（Ｐ２）は、前記単位光学形状（１５１）が配列されるピッチ（Ｐ１）の１５％以上５０％以下であること、を特徴とする光学シート（１５）である。
請求項８の発明は、請求項１から請求項７までのいずれか１項に記載の光学シートにおいて、前記単位光学形状（１５１）が配列されるピッチ（Ｐ１）は、８０μｍ以上であること、を特徴とする光学シート（１５）である。
請求項９の発明は、請求項１から請求項８までのいずれか１項に記載の光学シートにおいて、熱可塑性樹脂を用いて形成されていること、を特徴とする光学シート（１５）である。
請求項１０の発明は、請求項１から請求項９までのいずれか１項に記載の光学シート（１５）と、光を発する光源部（１３）と、を備える面光源装置（１２，１３，１４，１５，１６）である。
請求項１１の発明は、透過型表示部（１１）と、前記透過型表示部を背面側から照射する請求項１０に記載の面光源装置（１２，１３，１４，１５，１６）と、を備える透過型表示装置（１０）である。
【発明の効果】
【０００６】
本発明によれば、以下の効果を奏することができる。
（１）本発明の光学シートは、凸形状である単位光学形状が一次元方向に複数配列された光学形状部を備え、少なくとも光学形状部を形成する材料のヤング率が５００ＭＰａ以上であるので、凸形状である単位光学形状が荷重等で変形、欠損することを防止できる。
（２）単位光学形状は、出射側に形成され、シート面の法線方向に平行であって配列された方向に平行な面での断面形状が、頂点を挟んで非対称な形状であるので、配列方向における光の出射特性を制御できる。
（３）単位光学形状は、頂点を挟んで、平面により形成された平面部と、曲面によって形成された曲面部とを有するので、正面方向の輝度を高める効果と、観察角度による輝度変化（視野角特性の変化）を緩やかにする効果とを得ることができる。
（４）単位光学形状は、凸形状の稜線部分が曲面によって形成された稜線曲面部を有するので、視野角特性の変化を滑らかにすることができ、また、この光学シートと重ねられる他のシート等に傷が付くことを防止できる。
（５）稜線曲面部の曲率半径は、３０μｍ以上であるので、視野角特性の変化を滑らかにする効果や、この光学シートと重ねられる他のシート等に傷が付くことを防止する効果をさらに高めることができる。
（６）単位光学形状が配列された方向における稜線曲面部の幅は、１５μｍ以上であるので、視野角特性の変化を滑らかにする効果や、この光学シートと重ねられる他のシート等に傷が付くことを防止する効果をさらに高めることができる。
（７）稜線曲面部の幅は、単位光学形状の配列されるピッチの１５％以上５０％以下であるので、単位光学形状の光学特性を損なうことなく、視野角特性の変化を滑らかにする効果や、この光学シートと重ねられる他のシート等に傷が付くことを防止する効果をさらに高めることができる。
（８）単位光学形状が配列されるピッチは、８０μｍ以上であるので、成形が容易である。
（９）熱可塑性樹脂を用いて形成されているので、成形が容易である。また、押し出し成形が可能であるので、生産性も向上できる。
（１０）本発明による光学シートと、光を発する光源部とを備える面光源装置であるので、本発明による光学シートと他の光学シートを組み合わせて重ねて面光源装置に用いた場合にも、凸形状である単位光学形状が荷重等で変形、欠損することや、この光学シートに重ねられる他のシート等に傷が付くことを防止でき、これらの変形や欠損、傷等による明るさムラ等のない、良好な視野角特性を持つ面光源装置とすることができる。
（１１）透過型表示部と、透過型表示部を背面側から照射する本発明による面光源装置とを備える透過型表示装置であるので、表示不良のない良好な視野角特性を有する透過型表示装置とすることができる。
【発明を実施するための最良の形態】
【０００７】
本発明は、凸形状である単位光学形状が荷重等で変形、欠損することや、単位光学形状側に重ねられる他のシート等に傷が付くことを防止でき、良好な視野角特性を有する光学シート、及び、これを備える面光源装置、透過型表示装置を提供するという目的を、少なくとも単位光学形状を形成する材料のヤング率を５００ＭＰａ以上とし、単位光学形状の稜線部分は、曲面である稜線曲面部によって形成することにより実現した。
【０００８】
（実施形態）
図１は、本発明による透過型表示装置の実施形態を示す図である。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【０００９】
本実施形態の透過型表示装置１０は、ＬＣＤ（Liquid Crystal Display）パネル１１，反射板１２，発光管１３，乳白板１４，光制御シート１５，光拡散シート１６等を備え、ＬＣＤパネル１１に形成される映像情報を背面から照明して表示する透過型液晶表示装置である。なお、ＬＣＤパネル１１を背面から照明する面光源装置（バックライト装置）としては、反射板１２，発光管１３，乳白板１４，光制御シート１５，光拡散シート１６が該当している。
【００１０】
ＬＣＤパネル１１は、透過型の液晶表示素子により形成された透過型表示部であり、本実施形態では、対角３２インチサイズ（７４０ｍｍ×４２０ｍｍ）、１２８０×７６８ドットの表示を行うことができる。ＬＣＤパネル１１は、発光管１３の長手方向に沿った方向が水平方向として使用され、発光管１３が並ぶ方向が垂直方向として使用される。なお、理解を容易にするため、以下の明細書中では、垂直方向、水平方向と記載した場合には、使用状態における垂直方向、水平方向であるとする。
発光管１３は、面光源装置の光源部を形成する線光源の冷陰極管であり、本実施形態では、略２０ｍｍ間隔で等間隔に１８本が並列に並べられている。発光管１３の背面には、反射板１２が設けられている。
反射板１２は、発光管１３の乳白板１４とは反対側（背面側）の全面にわたって設けられており、背面側へ進む照明光を拡散反射して乳白板１４方向（出射方向）へ向かわせ、入射光照度を均一に近付ける働きを有している。
乳白板１４は、無指向性の光拡散作用を有するシート状の部材であり、発光管１３の出射側に設けられている。本実施形態では、乳白板１４は、その厚みが２ｍｍであり、後述する光制御シート１５等の厚みよりも厚く、剛性も高く、面光源装置に用いられる各種光学シートを保持する機能を有している。
【００１１】
光制御シート１５は、使用状態における観察面側（出射側）に凸形状の単位光学形状１５１が一次元方向に多数配列されて形成された光学形状部を有する光学シートである。本
実施形態では、この光制御シート１５は、乳白板１４の観察面側に設けられている。
単位光学形状１５１は、シート面の法線方向に平行であって配列方向に平行な断面での断面形状が非対称形状であり、その同一断面形状が一方向（本実施形態では、水平方向）に延在しており、光制御シート１５の観察面側に、断面形状が延在する方向と直交する方向（本実施形態では、垂直方向）に複数配列されている。ここで、シート面とは、光制御シート１５全体として見たときにおける、光制御シート１５の平面方向となる面を示すものであり、以下の説明中、及び、特許請求の範囲においても同一の定義として用いている。
【００１２】
図２は、本実施形態の光制御シート１５を、図１中に矢印で示したＳ１−Ｓ２断面で切断した断面図である。
図３は、図２と同様の断面において、単位光学形状１５１の頂点Ｔ付近を拡大して示した図である。
なお、図２は、使用状態を切断した場合と同様の配置としており、図中の上下方向が垂直（上下）方向であり、図中の左側が観察面側（ＬＣＤパネル側）、右側が背面側（発光管１３側）となるように示している。
また、図３に、破線で示される形状は、単位光学形状１５１に稜線曲面部１５１Ｔを形成しない場合に、下側形状１５１Ｄ及び上側形状１５１Ｕで形成される場合の仮想の単位光学形状の形状であり、破線上に位置する頂点Ｔ２とは、この仮想の単位光学形状の仮想の頂点である。
【００１３】
単位光学形状１５１は、頂点Ｔを含み単位光学形状１５１の稜線部分を形成する稜線曲面部１５１Ｔと、この稜線曲面部１５１Ｔを挟んで上側の上側形状１５１Ｕと、下側の下側形状１５１Ｄとを有する。
下側形状１５１Ｄは、位置Ａから頂点Ｔ２までのシート面に平行な方向の幅が０．０９ｍｍ、すなわち図２に示した断面において上下方向の幅ＷＤ＝０．０９ｍｍの平面（平面部）であり、シート面に対して４６度の角度を持って形成されている。
上側形状１５１Ｕは、図２に示した断面において、位置Ａからシート面に平行に上方へ０．１８９ｍｍにある位置Ｂを置き、この位置Ｂと頂点Ｔ２とを通る半径Ｒ１＝０．１９５ｍｍの円筒面（曲面部）である。従って、この上側形状１５１Ｕの上下方向の幅ＷＵ＝０．０９９ｍｍである。
単位光学形状１５１の配列されたピッチＰ１は、上側形状１５１Ｕの上下方向の幅ＷＵと下側形状１５１Ｄの上下方向の幅ＷＤとを足したものに等しく、Ｐ１＝ＷＵ＋ＷＤ＝０．１８９ｍｍである。
【００１４】
稜線曲面部１５１Ｔは、図３に示すように、単位光学形状１５１の凸形状の頂点Ｔを含む部分であり、単位光学形状１５１の稜線部分を形成する曲面であり、上側形状１５１Ｕと下側形状１５１Ｄとを滑らかに繋げている。
稜線曲面部１５１Ｔは、上側形状１５１Ｕを形成する円筒面の曲率半径とは異なる曲率半径である円筒面（曲面）によって形成されており、その曲率半径Ｒ２＝６０μｍである。このように、単位光学形状１５１の稜線部分を曲面によって形成することにより、光制御シート１５の単位光学形状１５１が形成されている側に他の光学シート（本実施形態では、光拡散シート１６）等を重ねた場合にも、その重ねられた光学シートに傷が付き難い。
また、単位光学形状１５１が配列された方向、すなわち、上下方向における稜線曲面部１５１Ｔの幅Ｐ２は、約３０μｍであり、単位光学形状１５１のピッチＰ１の約１６％である。なお、稜線曲面部１５１Ｔの幅Ｐ２を約３０μｍとしたのは、稜線曲面部１５１Ｔと上側形状１５１Ｕ，下側形状１５１Ｄとが滑らかに繋がっているため、厳密な測定が困難なためである。
【００１５】
この光制御シート１５は、熱可塑性樹脂を材料として形成されており、本実施形態では、アクリル樹脂を材料とし、押し出し成形によって形成され、２５℃でのヤング率が約２００ＭＰａであり、その厚みは０．５ｍｍ（５００μｍ）である。なお、本実施形態では、光制御シート１５は、アクリル樹脂を用いて形成される例を示したが、これに限らず、例えば、ＭＳ（メタクリルスチレン）樹脂等を用いてもよい。
【００１６】
図１に戻って、光拡散シート１６は、光制御シート１５とＬＣＤパネル１１との間に配置され、観察面側に微細凸形状が形成された光拡散作用を有するシート状の部材であり、その厚さは、２１５μｍである。
拡散シートとして使用されるものには、透明基材フィルムの表面に拡散材をコーティングしたタイプ、拡散材を基材に練り込んだタイプ、表面を粗面にしたタイプ、及びこれらの組み合わせが存在する。
本実施形態で用いた光拡散シート１６は、これらの内で、透明基材フィルムの表面に拡散材をコーティングしたタイプである。具体的には、厚さ１８８μｍの透明基材層（フィルム）上に、バインダ中に微小ビーズを混練した拡散層をコートして形成している。この拡散層は、微小ビーズをバインダよりも突出させることにより、表面に微細凸形状が形成されている。本実施形態で使用した光拡散シート１６は、恵和（株）製の光拡散フィルムＢＳ−７０２であり、ヘイズ値は、８９．２％（メーカーカタログ値）である。
【００１７】
表面に拡散材（微小ビーズ）をコーティングした拡散シートは、微小ビーズのトップの丸い部分が突出するため、レンズ効果を発揮する。そのため、視野角の広い拡散光が入射した場合には、集光効果を発揮し、視野角の狭い拡散光が入射した場合には、拡散効果を発揮するという、他のタイプの拡散シートとは異なる特徴的な作用を持っている。
また、拡散材を分散させてコーティングしているので、周期構造を持たず、モアレが発生することもない。
さらに、表面にコーティングする拡散材の量を変えることにより、レンズ効果（集光及び拡散効果）を調整することが可能となる。拡散材の量が少ないと拡散材の密度が小さいため、レンズ効果よりも粗面による散乱効果が大きくなり、視野角の広い拡散光に対する集光効果が小さくなる。
なお、練り込みタイプや表面が粗面タイプの拡散シートは、レンズ効果ではなく、散乱効果や屈折効果により、拡散効果のみを発揮する点で、本実施形態の光拡散シート１６とは異なる。
【００１８】
ここで、光制御シート１５は、少なくとも単位光学形状１５１を形成する材料の２５℃でのヤング率が５００ＭＰａ以上であることが好ましく、２５℃でのヤング率が１０００ＭＰａ以上であることがより好ましい。これは、他の光学シートを重ねて面光源装置に用い、単位光学形状１５１に荷重がかかる等した場合にも、ヤング率が５００ＭＰａ以上であれば、単位光学形状１５１の欠損、変形を防止できるからである。
単位光学形状１５１を形成する材料のヤング率が５００ＭＰａ未満である場合には、荷重等によって単位光学形状１５１が変形、欠損し易くなる。そのため、例えば、各種光学シート等と重ねて面光源装置組み立てた場合に、光制御シートの端部に単位光学形状１５１の変形が生じる場合がある。
【００１９】
単位光学形状１５１の稜線曲面部１５１Ｔの上下方向における幅Ｐ２は、１５μｍ以上であることが、視野角特性の変化を滑らかにする観点や、他の光学シートと重ねられたときに他の光学シートに傷を付けることを防止する観点や、単位光学形状１５１の変形や欠損を生じ難くする観点から好ましい。稜線曲面部１５１Ｔの上下方向における幅Ｐ２が１５μｍ未満であると、他の光学シート等と重ね合わせた場合に、光制御シート１５と他の光学シートとが接する面積が小さくなり、傷が付き易くなったり、単位光学形状１５１の変形や欠損が生じ易くなったりする。同様に、単位光学形状１５１の稜線曲面部１５１Ｔ
の曲率半径Ｒ２は、３０μｍ以上であることが、視野角特性の変化を滑らかにする観点や、他の光学シートと重ねられたときに他の光学シートに傷を付けることを防止する観点から好ましい。
また、単位光学形状１５１の稜線曲面部１５１Ｔの上下方向における幅Ｐ２は、５０μｍ以下であることが、好ましい。これは、稜線曲面部１５１Ｔの上下方向における幅Ｐ２が、５０μｍより大きくなると、光制御シート１５のシート面の法線方向への出射光（シート面に対して出射角度０°の出射光）が減少する等して光学特性が低下し、面光源装置の正面方向での輝度が十分得られないからである。同様に、単位光学形状１５１の稜線曲面部１５１Ｔの曲率半径Ｒ２は、１００μｍ以下であることが正面方向の輝度上昇の観点から好ましい。
【００２０】
単位光学形状１５１の上下方向におけるピッチＰ１は、８０μｍ以上であることが、成形の容易さ等の観点から好ましい。
さらに、稜線曲面部１５１Ｔの上下方向における幅Ｐ２は、単位光学形状１５１のピッチＰ１の１５％以上５０％以下であることが、他の光学シートに傷を付けたり、単位光学形状１５１が欠損、変形したりすることを防止し、かつ、単位光学形状１５１の光学特性を損なわないという観点から好ましい。単位光学形状１５１の上下方向における稜線曲面部１５１Ｔの幅Ｐ２が、単位光学形状のピッチＰ１の５０％以上である場合には、単位光学形状１５１から出射する光の多くが、稜線曲面部１５１Ｔから出射することとなって、単位光学形状１５１の形状が出射光に及ぼす作用（単位光学形状１５１の光学特性）が損なわれる。単位光学形状１５１の上下方向における稜線曲面部１５１Ｔの幅Ｐ２が、単位光学形状のピッチＰ１の１５％以下である場合には、他の光学シートと重ねられたときに他の光学シートに傷が付いたり、単位光学形状１５１の変形や欠損が生じ易くなったりする。
本実施形態の光制御シート１５は、２５℃でのヤング率が約２０００ＭＰａのアクリル樹脂を用いて成形され、単位光学形状１５１の稜線曲面部１５１Ｔの曲率半径Ｒ２が６０μｍであり、稜線曲面部１５１Ｔの上下方向の幅Ｐ２が約３０μｍであり、稜線曲面部１５１Ｔの上下方向の幅Ｐ２が単位光学形状１５１のピッチＰ１の約１６％であるので、これらの条件を全て満たしている。
【００２１】
よって、本実施形態によれば、凸形状である単位光学形状１５１が荷重等で変形、欠損することや、光制御シート１５に重ねられる他の光学シート等に傷が付くことを防止でき、良好な視野角特性を有する光制御シート１５、及び、これを備える面光源装置、透過型表示装置１０を提供することができる。
また、光制御シート１５の出射側（観察面側）に多数配列された単位光学形状１５１は、平面によって形成された下側形状１５１Ｄと曲面によって形成された上側形状１５１Ｕを有し、頂点Ｔを挟んで上下方向において非対称な形状である。従って、光制御シート１５は、上下方向においては、下方の輝度変化を急峻として視野角を絞り、正面（シート面に対して出射角度０°）方向における輝度を向上させつつ、上方の輝度変化を緩やかにするという効果を有し、水平方向においては、輝度変化を緩やかとする効果を有する。よって、光制御シート１５を正面もしくは上方で観察する機会が殆どである面光源装置やテレビ等の透過型表示装置に用いることにより、良好な視野角特性を有する面光源装置、透過型表示装置とすることができる。
【００２２】
（変形形態）
以上説明した実施形態に限定されることなく、種々の変形や変更が可能であって、それらも本発明の範囲内である。
（１）本実施形態において、単位光学形状１５１は、曲面によって形成された上側形状１５１Ｕと、平面によって形成された下側形状１５１Ｄとを有する例を示したが、これに限らず、例えば、所望する視野角特性に応じて、上側形状を平面によって形成し、下側形状
を曲面によって形成してもよい。
また、単位光学形状１５１は、上述のように曲面によって形成された上側形状１５１Ｕと、平面によって形成された下側形状１５１Ｄとを有する非対称形状である例を示したが、これに限らず、例えば、上側形状，下側形状がシート面に対する角度が異なる平面によって形成された上下方向において非対称な略三角形状としてもよいし、シート面の法線方向に平行であって単位光学形状の配列方向に平行な断面での断面形状が略二等辺三角形となるような対称な形状であってもよい。
さらに、単位光学形状１５１は、面光源装置及び透過型表示装置１０の使用状態における上下（垂直）方向に多数配列される例を示したが、これに限らず、例えば、左右（水平）方向に配列してもよく、所望する視野角特性に応じて適宜選択してよい。
【００２３】
（２）本実施形態では、光制御シート１５は、単層であり、押し出し成形によって形成される例を示したが、これに限らず、例えば、単位光学形状が形成されている光学形状部と、基材となる基材層との２層押し出し成形等によって形成してもよい。その場合、少なくとも、光学形状部に用いられる材料は、ヤング率が５００ＭＰａ以上であることが、単位光学形状の破損や変形等を防止する観点から好ましい。
【００２４】
（３）本実施形態では、光制御シート１５の光学形状部は、１種類の単位光学形状１５１が多数配列されて形成されている例を示したが、これに限らず、例えば、複数種類の単位光学形状を組み合わせて配置してもよい。
【００２５】
（４）本実施形態では、単位光学形状１５１は、光制御シート１５の出射側（観察面側）に多数配列される例を示したが、これに限らず、例えば、入射側（背面側）に多数配列してもよいし、入射側及び出射側の両面に多数配列してもよい。
【００２６】
（５）本実施形態において、光を発する光源部として、線光源である発光管１３が用いられる例を示したが、これに限らず、例えば、ＬＥＤ（Light Emitting Diode）等の点光源を多数並べた光源部を用いてもよいし、有機ＥＬ（electroluminescence），無機ＥＬ等
の面発光をする光源部を用いてもよい。
【図面の簡単な説明】
【００２７】
【図１】本発明による透過型表示装置の実施形態を示す図である。
【図２】本実施形態の光制御シート１５を、図１中に矢印で示したＳ１−Ｓ２断面で切断した断面図である。
【図３】図２と同様の断面において、単位光学形状１５１の頂点Ｔ付近を拡大して示した図である。
【符号の説明】
【００２８】
１０    透過型表示装置
１１    ＬＣＤパネル
１２    反射板
１３    発光管
１４    乳白板
１５    光制御シート
１５１    単位光学形状
１６    光拡散シート
【図１】
2008282736.tif 000003
【図２】
2008282736.tif 000004
【図３】
2008282736.tif 000005